(57)【特許請求の範囲】
【請求項１】
トロヨケの奥の後壁に切欠状の開口部を形成し、一方、トロヨケとは別体の取付けベース板の一側面に予め錠前の施錠状態の信号を得るためのスイッチ部材を固定し、前記取付けベース板は、スイッチ部材をトロヨケの切欠状の開口部に位置付けるようにトロヨケの奥の後壁の外壁面に固定されていることを特徴とするドア用錠受け金具。
【請求項２】
請求項１に於いて、取付けベース板は、複数個の固着具を介してトロヨケに取り外し可能に固定されていることを特徴とするドア用錠受け金具。
【請求項３】
トロヨケと、該トロヨケの奥の後壁の内壁面並びに上下の対向壁の内壁面との間にそれぞれ空隙部を設定して遊嵌合状態に嵌め込まれる可動コアと、この可動コアを常時所定位置に保持する複数個の保持板と、前記可動コアの前面に一体的に設けられ、かつ、トロヨケから常時突出するストライクとを備え、地震発生時、可動コアが少なくともトロヨケ内の後方空隙部へと後退動するドア用錠受け金具であって、前記トロヨケの奥の後壁に切欠状の開口部を形成し、一方、トロヨケとは別体の取付けベース板の一側面に予め錠前の施錠状態の信号を得るためのスイッチ部材を固定し、該スイッチ部材は、前記取付けベース板を前記トロヨケの奥の後壁の外壁面に固定すると、前記切欠状の開口部に位置付けられることを特徴とするドア用錠受け金具。
【請求項４】
請求項３に於いて、スイッチ部材は、トロヨケ内に可動コアを介して嵌入する錠前の施錠片を受ける可動接触片を備え、一方、切欠状の開口部は、付勢バネのバネ力に抗して後退する可動接触片を受け入れることができる大きさに形成されていることを特徴とするドア用錠受け金具。
【請求項５】
請求項３に於いて、スイッチ部材は、取付けベース板の外壁面側から固着具を介して固定される内装支持片を介して固定されていることを特徴とするドア用錠受け金具。
【発明の詳細な説明】
【技術分野】
【０００１】
本発明は、扉錠の施錠片（例えばデッドボルト）が嵌入した場合に於いて、扉錠の施・解錠状態の信号を取得するためのスイッチ部材をトロヨケ内に備えたドア用錠受け金具に関し、例えば地震時に適合するドア用錠受け金具に関する。
【背景技術】
【０００２】
特許文献1には、受け金具を構成するトロヨケ内にドアースイッチ作動装置を配設する事項が記載されている。受け金具は、普通一般にサッシ型ドア枠内に嵌め込まれるケース状のトロヨケと、該トロヨケの前端開口部に設けられるプレート状のストライクとから成るが、前記ドアースイッチ作動装置は、前端開口部からトロヨケ内に組み込まれる。例えば、可動接触片（可動板）を有するマイクロスイッチは、トロヨケの内壁面に適宜に固定され、前記可動板は閉扉時に錠前のデッド（ボルト）がストライクを介してトロヨケ内に嵌入すると、ボルトの先端面により押圧されて回転する。
【０００３】
可動板がボルトの押圧力により付勢バネのバネ力に抗してトロヨケの奥の後壁側へ回転すると、可動板に連動するカムを介してスイッチが切換えられる。このスイッチの切換信号用の配線は、トロヨケの側壁又は後壁に形成された貫通孔を介してトロヨケの外に導き出される。
【０００４】
また、特許文献2には、戸先が戸枠に衝突した際に、該閉扉信号を取得するためのスイッチのオン・オフ機構をトロヨケの内部に配設する事項が記載されている。しかし、この特許文献2のスイッチも特許文献1と同様に前端開口部からトロヨケ内に組み込むものである。
【０００５】
ところで、錠前の施錠信号を収得するためのマイクロスイッチは、特許文献1や特許文献２のようにケース状のトロヨケの前端開口から支持片、固着具等を介して取付けることから、その取付けや部品交換が非常に面倒であるという問題がある。
【０００６】
また、地震発生時、可動ストライクがトロヨケの後方空隙部へと後退動可能なドア用錠受け金具に於いて、トロヨケの内部にスイッチ機構を配設する場合、該スイッチ機構を構成するマイクロスイッチ、支持片、固着具等がトロヨケの内部を占有することにより、可動ストライクの後退動を妨げる障害部材にならないように取付け工夫をすることが望まれる。
【特許文献１】実公昭４８−５６５５号公報
【特許文献２】特許公開２００５−９１７５号公報
【特許文献３】特開２００４−３６２７０号公報
【特許文献４】特開平１１−６２３３７号公報
【発明の開示】
【発明が解決しようとする課題】
【０００７】
本発明の第１の目的は、トロヨケに扉錠の施・解錠状態の信号を取得するためのスイッチ部材を簡単に取付けることができること。第２の目的は、トロヨケの内部空間（特にトロヨケの奥の空間部分）を占めるスイッチ部材の占有率を極力少なくすること。つまり、内部のスペースを稼ぐこと。第３の目的は、スイッチ部材を容易に交換することができること。第４の目的は、地震発生時、可動ストライクがトロヨケの後方空隙部へと後退動するドア用錠受け金具に適合することである。特に、地震発生時、可動ストライクがトロヨケの後方空隙部へと後退動する場合、スイッチ部材が障害物とならないことである。
【課題を解決するための手段】
【０００８】
本発明のドア用錠受け金具は、トロヨケの奥の後壁に切欠状の開口部を形成し、一方、トロヨケとは別体の取付けベース板の一側面に予め錠前の施錠状態の信号を得るためのスイッチ部材を固定し、前記取付けベース板は、スイッチ部材をトロヨケの切欠状の開口部に位置付けるようにトロヨケの奥の後壁の外壁面に固定されていることを特徴とする。
【０００９】
また、本発明のドア用錠受け金具は、トロヨケと、該トロヨケの奥の後壁の内壁面並びに上下の対向壁の内壁面との間にそれぞれ空隙部を設定して遊嵌合状態に嵌め込まれる可動コアと、この可動コアを常時所定位置に保持する複数個の保持片と、前記可動コアの前面に一体的に設けられ、かつ、トロヨケから常時突出するストライクとを備え、地震発生時、可動コアが少なくともトロヨケ内の後方空隙部へと後退動するドア用錠受け金具であって、前記トロヨケの奥の後壁に切欠状の開口部を形成し、一方、トロヨケとは別体の取付けベース板の一側面に予め錠前の施錠状態の信号を得るためのスイッチ部材を固定し、該スイッチ部材は、前記取付けベース板を前記トロヨケの奥の後壁の外壁面に固定すると、前記切欠状の開口部に位置付けられることを特徴とする。
【発明の効果】
【００１０】
（１）トロヨケに扉錠の施・解錠状態の信号を取得するためのスイッチ部材を簡単に取付けることができる。
（２）トロヨケの内部空間（特にトロヨケの奥の空間部分）を占めるスイッチ部材の占有率を極力少なくすること。つまり、内部のスペースを稼ぐことができる。
（３）スイッチ部材を容易に交換することができることができる。
（４）地震発生時、可動ストライクがトロヨケの後方空隙部へと後退動するドア用錠受け金具に適合する。特に、地震発生時、可動ストライクがトロヨケの後方空隙部へと後退動する場合、スイッチ部材が障害物とならない。
【発明を実施するための最良の形態】
【００１１】
以下、図１ないし図８を参照にして第１実施例を説明する。
【００１２】
（１）本発明の基本的構成
本発明は、トロヨケ内にスイッチ部材を備えたドア用錠受け金具の構造に特徴がある。付言すると、本発明のドア用錠受け金具Ｘは、図２及び図３で示すように、切欠状の開口部１５ｃを有するトロヨケ２と、該トロヨケ２のケース部１５の後壁（底部）の外壁面に前記開口部１５ｃを塞ぐように添設状態に固定され、かつ、スイッチ部材１９を備えた取付けベース板１８とから成る点に特徴がある。
【００１３】
（２）本発明の実施の環境部材
まず、図１を参照にして、本発明の実施の環境部材を説明する。１はサッシ型のドア枠、２はドア枠に嵌合状態に固定されるトロヨケ、３はトロヨケの奥の内壁面並びに上下の対向内壁等との間にそれぞれ空隙部３０，３１を設定して遊嵌合状態に嵌め込まれる枠状可動コア、４はこの可動コア３の前面に一体的に設けられ、かつ、トロヨケ２から常時突出する可動ストライク、一方、５はトロヨケ２の前面に一体的に設けられ、かつ、縦長状の開口部６を有するカバープレートである。
【００１４】
カバープレート５は、開口部６を形成する縦方向の一辺（縦縁部）に切欠部６ａを有していることから、開口部６から常時突出する可動ストライク４は、地震発生時、可動コア３の後退動を介してカバープレート５と面一の状態になる位置まで後退可能である。なお、Ｄはドア枠１に対して開閉可能に設けられるドア、ａはドア側に設けた錠前の施錠片（ここではデッドボルト）である。
【００１５】
図１は、サッシ型ドア枠１にトロヨケ２に合わせたカバープレート５の開口部６から可動ストライク４が突出した状態で枠状可動コア３をトロヨケ２内に組込み込んでいる状態を示す。しかも、該可動コア３は、少なくとも上下一対の保持板８，８を介してトロヨケ２内にセットされている通常の使用状態を示す。また、トロヨケ２とカバープレート５は固着具を介してドア枠１に固定されている。
【００１６】
図２を参照にして錠受け具Ｘの構成部材を順番に説明する。なお、角筒部状のドア枠１の詳細は割愛する。
【００１７】
（３）錠受け具の構成部材−トロヨケ２
次に、図２、図３等も参照にして、トロヨケ２について説明する。例えば図２、図３で示すように、トロヨケ２の形状は普通一般のそれと同様である。すなわち、トロヨケ２の部分を区分けすると、ドア枠１にスッポリトと入り込む正面開口のケース部１５と、このケース部１５の開口１６側の上下端部にそれぞれ一体形成された突片状の取付け片１７，１７とから成り、前記取付け片１７，１７には、ドア枠１のネジ孔と符合する不番の貫通孔が形成されている。
【００１８】
しかして、前記ケース部１５の左右の側壁１５ａと直交する奥の後壁１５ｂの中央部から下部に至るまで、縦長の切欠状開口（後方開口）１５ｃが形成されている。この切欠状開口１５ｃの縦方向の長さ及び幅寸法は、取付けベース板１８に取付けられたスイッチ部材１９の構成・形状・位置をそれぞれ考慮して適宜に設定される。
【００１９】
前述したように、本発明のドア用錠受け金具Ｘは、切欠状の開口部１５ｃを有するトロヨケ２と、スイッチ部材１９が前記後方開口１５ｃを介してトロヨケ２の内部空間に位置するようにトロヨケ２のケース部１５に添設状態に固定される取付けベース板１８から成る。
【００２０】
すなわち、図３で示すように、トロヨケ２の奥の後壁１５ｂに切欠状の開口部１５ｃが形成され、一方、トロヨケ２とは別体の取付けベース板１８の一側面に予め錠前の施錠状態の信号を得るためのスイッチ部材１９が固定され、該スイッチ部材１９は、前記取付けベース板１８をトロヨケ２の奥の後壁１５ｂの外壁面に複数本の固着具１０を介して固定すると、切欠状の開口部１５ｃに位置付けられる（図１参照）。つまり、スイッチ部材１９は、トロヨケ２の奥の空間部分に配設される。
【００２１】
ここで、図２のスイッチ部材１９の拡大図を参照にして、スイッチ部材１９の構成を簡単に説明する。１１は端面Ｚ型形状の内装支持片で、該内装支持片１１は取付けベース板１８の外側（逆側）から固着具１２を介して取り外し可能に固定されている。
【００２２】
１３はマイクロスイッチ本体で、該マイクロスイッチ本体１３は、取付けベース板１８の一側面（内面）１８ａに固定された不番のバネ受け片と前記支持片１１との間にサンドイッチ状に設けられている。そして、マイクロスイッチ本体１３用の信号線（省略）は、トロヨケ２の下方の側壁に形成した貫通孔を介して外へと導かれる。１４は基端部が内装支持片１１に横設軸架された支軸に設けられ、かつ、自由端部１４ａが錠前の施錠片ａを受けることができるように傾斜する長板状の可動接触片（可動片）である。
【００２３】
しかして、前記可動片１４は、不番の付勢バネのバネ力に抗して後退動可能であることから、トロヨケ２の切欠状の開口部１５ｃは、可動片１４を受け入れることができる大きさに形成されている。
【００２４】
ところで、ケース部１５の左右の側壁１５ａの上下の部位には、左右一対の保持ピン逃し用切欠部２０，２０がそれぞれ計４個形成されている。矩形状切欠部２０の縁は、図１で示すように、それぞれ上下一対の可動コア用保持ピン（係合ピン）２１，２１と係合する。これらの切欠部２０の縁は、通常の使用状態では、一つの保持ピン２１の外周面と一部係合する。なお、特に図示しないが、特許文献に記載の実施例のように、トロヨケ２の左右の側壁に可動コア用保持ピン（係合ピン）２１，２１と係合する係合孔をそれぞれ対向形成し、一方、後述する可動コア３の方に前記矩形状切欠部２０を形成しても良い。
【００２５】
（４）可動コア３
次に可動コア３について説明する。可動コア３は、図１、図４で示すように、前方から後方へと開口２３を有する箱型形状に形成されている。すなわち、３ａ，３ａは上下の垂直正面壁、３ｂ，３ｂは上下の水平壁、３ｃ，３ｃは左右の対向側壁、３ｄは上の正面壁３ｂと対向する上の垂直後壁（背面）である。
【００２６】
なお、本実施例の可動コア３では、トロヨケ２の内部空間の下部側に前述したスイッチ部材１９が存在することから、下の正面壁３ｂと対向する下の垂直後壁（背面）は存在しない。したがって、地震時に可動コア３がトロヨケ２の後壁１５ｂ側に移動しても、可動コア３がスイッチ部材１９に衝突する恐れがない。
【００２７】
ところで、上下の水平壁３ｂは、上下の保持板８に対して取付け板の機能を有する。したがって、これらの壁３ｂには、例えば符号を付さない固着具用のネジ孔がそれぞれ形成されている。また左右の側壁３ｃには、保持ピン用挿通孔２２がそれぞれ形成されている。その他可動コア３の細部的事項についての説明は割愛する。
【００２８】
（５）可動ストライク４
次に可動ストライク４について説明する。本実施例の可動ストライク４は、上下に固着具用の取付け孔５ａ，５ａを有するカバープレート５とは別個の部材である。図１，図２で示すように、可動ストライク４は、カバープレート５よりも短い反面、可動コア３により若干長い。
【００２９】
この可動ストライク４は、正面視逆コ字型形状或いはコ字型形状の前板４ａと、この前板４ａの上下幅広部分の端部をそれぞれ折り曲げて形成した上下端板４ｂ，４ｂと、前板４ａの縦方向の一辺を折り曲げて形成した側端板４ｃとを有し、前記上下幅広部分には、可動コア３の孔と符合する固着具２６用の孔２７がそれぞれ設けられていると共に、前記上下端板４ｂ，４ｂの一端と側端板４ｃの端部との間には、カバープレート５の縦縁の切欠部６ａに対向する小切欠部２８が設けられている。
【００３０】
（６）上下の保持板８
一方、上下の保持板８は、図１で示すように、トロヨケ２の上下の内壁面と可動コア３の水平上下壁３ｂ，３ｂとの間に設定された上下の空隙部３１内にそれぞれ位置するように線対象状態に配設されている。保持板８は、上下一対で「一組」を構成し、それぞれ断面釣り針状に形成されている。そして、各保持板８の基端部８ａ，８ａは、可動コア３の水平上下壁３ｂに固定手段（例えばオネジ）９を介してそれぞれ固定され、かつ、フック状先端部８ｂは、トロヨケ２の上下の内壁面２ｂにそれぞれ当接する。したがって、特に符号を付さないが、保持板８及び可動コア３の上下壁３ｂの適宜箇所には、取り付け孔がそれぞれ形成されている。
【００３１】
しかして、上下一組の保持板８の先端部８ｂは、少なくとも可動コア３の動きに対応して弾性変形可能（弾性変形機能）である。付言すると、保持板８は、例えば合成樹脂材で形成された「樹脂バネ」であり、望ましくは、地震発生後、外的な衝撃力がなくなった瞬間、材質自体の弾性復帰力により、直ちに元の保持状態を確保するための働き（弾性復帰変形機能）をする。
【００３２】
（７）作用
背景技術の欄で説明したように、スイッチ部材１９の可動板１４は閉扉時に錠前のデッドボルトａが可動ストライク４を介してトロヨケ内に嵌入すると、デッドボルトの先端面により押圧されて回転する。つまり、可動板１４の自由端部１４ａはトロヨケ２の切欠状の開口１５ｃ付近（例えば仮想線の位置）までその付勢バネのバネ力に抗して回転後退する（図７を参照）。
【００３３】
そこで、今仮に、地震が発生し、可動ストライク４（可動コア３）がトロヨケ２の後壁１５ｂ側へ後退動したと仮定する。このような場合、デッドボルトの先端面も当然トロヨケ２の後壁１５ｂ側に突っ込んでくることになるが、本実施例では、切欠状の開口部１５ｃは、付勢バネのバネ力に抗して後退する可動接触片を受け入れることができる大きさに形成されていることから、丁度、うまい具合に可動板１４の自由端部１４ａが切欠状の開口部１５ｃ内に収まる。また、可動ストライク４（可動コア３）がトロヨケ２の後壁１５ｂ側へ後退動する場合、スイッチ部材１９が可動ストライク４（可動コア３）に対する障害物にならない。
【実施例】
【００３４】
取付けベース板１８に取付けたスイッチ部材１９は一例である。したがって、例えば磁気感応型スイッチ部材に置換しても良い。
【図面の簡単な説明】
【００３５】
図１乃至図８は本発明の一例を示す各説明図。
【図１】第１実施例の実施形態を示す概略説明図（通常の使用状態）。
【図２】主たる部材（トロヨケと取付けベース板）の説明図並びにスイッチ部材の拡大説明図。
【図３】主要部を裏側から見た分解斜視図（一部省略）。
【図４】地震用の受け金具を構成する主たる部材（可動コアと、可動ストライク、カバープレート、保持板等）の分解斜視図。
【図５】平面視からの外観構成を示す説明図。
【図６】内部構成を示す概略断面説明図。
【図７】平常時、施錠片がトロヨケ内に嵌入した場合の説明図。
【図８】地震発生時、施錠片がさらにトロヨケの奥に入り込んだ場合の説明図。
【符号の説明】
【００３６】
Ｘ…錠受け金具、１…ドア枠、２…トロヨケ、３…可動コア、４…可動ストライク、Ｄ…ドア、ａ…施錠片、８…上下の保持板、１０…内装支持片用固着具、１１…内装支持片、１２…取付けベース板用の固着具、１３…マイクロスイッチ本体、１４…可動接触片１４ａ…自由端部、１５…トロヨケのケース部、１５ａ…左右の側壁、１５ｂ…奥の後壁、１５ｃ…切欠状の開口、１６…トロヨケの開口、１７…取付け片、１８…取付けベース板、１８ａ…一側面（内面）、１９…スイッチ部材、２０…保持ピン逃し用切欠部、２１…保持ピン、２２…挿通孔、２３…開口、３０…奥の空隙部、３１…上下の空隙部。
【図１】
0004746996.tif 000002
【図２】
0004746996.tif 000003
【図３】
0004746996.tif 000004
【図４】
0004746996.tif 000005
【図５】
0004746996.tif 000006
【図６】
0004746996.tif 000007
【図７】
0004746996.tif 000008
【図８】
0004746996.tif 000009